【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
撮像された画像に適用するホワイトバランス係数を算出するホワイトバランス制御装置であって、
前記画像から顔領域を検出する顔検出手段と、
前記画像の全体から、第１のホワイトバランス係数を算出する第１の係数算出手段と、
前記画像を複数のブロックに分割し、前記複数のブロックのうち、前記顔領域に含まれるブロックの画素値に対して前記第１のホワイトバランス係数を適用した後の色度を、予め定めた肌色に補正するための第２のホワイトバランス係数を算出する第２の係数算出手段と、
前記顔領域に含まれるブロックの画素から得られる複数のパラメータ値と、当該複数のパラメータ値の少なくとも一部について予め定められた、前記検出された顔領域が人の顔として誤っている度合を判定するための条件からなる条件群とから、前記第２のホワイトバランス係数の重みを決定する決定手段と、
前記第１のホワイトバランス係数と、前記決定された重みで重み付けした前記第２のホワイトバランス係数とから、前記画像に対する最終的なホワイトバランス係数を算出する算出手段とを有し、
前記決定手段が、前記度合いが高いほど小さくなるように前記重みを決定することを特徴とするホワイトバランス制御装置。
【請求項２】
前記顔検出手段により、複数の顔領域が検出された場合、
前記第１の係数算出手段が前記第１のホワイトバランス係数を算出し、
前記第２の係数算出手段が、前記複数の顔領域の各々の画素値に対して前記第１のホワイトバランス係数を適用した後の色度の平均値を前記予め定めた肌色に補正するための第２のホワイトバランス係数を求め、
前記決定手段が、前記複数の顔領域の各々に含まれるブロックの画素から得られるパラメータ値の平均値と、前記条件群とから、前記度合いが高いほど小さくなるように前記重みを決定し、
前記算出手段が、前記第１のホワイトバランス係数と、前記重みにより重み付けした第２のホワイトバランス係数とから、前記最終的なホワイトバランス係数を算出することを特徴とする請求項１記載のホワイトバランス制御装置。
【請求項３】
前記条件群が、異なるパラメータ値に対する複数の条件からなり、
前記決定手段が、前記複数の条件のうち、前記複数のパラメータ値が満たす条件の数が多いほど、前記度合が高いと判定して前記重みを決定することを特徴とする請求項１記載のホワイトバランス制御装置。
【請求項４】
前記条件群が複数存在し、
前記決定手段が、前記複数の顔領域の各々について、前記複数のパラメータ値が満たす条件の数が最も多い条件群を判定し、当該判定された条件群に関連付けられた、前記複数のパラメータ値が満たす条件の数と前記重みとの関係に基づいて求めた重みの平均値を、前記第２のホワイトバランス係数に乗じる重みとして決定することを特徴とする請求項２記載のホワイトバランス制御装置。
【請求項５】
請求項１乃至請求項４のいずれか１項に記載のホワイトバランス制御装置と、
前記最終的なホワイトバランス係数を用いて前記画像を補正する補正手段とを有することを特徴とする撮像装置。
【請求項６】
撮像された画像に適用するホワイトバランス係数を算出するホワイトバランス制御装置の制御方法であって、
前記ホワイトバランス制御装置の顔検出手段が、前記画像から顔領域を検出する顔検出工程と、
前記ホワイトバランス制御装置の第１の係数算出手段が、前記画像の全体から、第１のホワイトバランス係数を算出する第１の係数算出工程と、
前記ホワイトバランス制御装置の第２の係数算出手段が、前記画像を複数のブロックに分割し、前記複数のブロックのうち、前記顔領域に含まれるブロックの画素値に対して前記第１のホワイトバランス係数を適用した後の色度を予め定めた肌色に補正するための第２のホワイトバランス係数を算出する第２の係数算出工程と、
前記ホワイトバランス制御装置の決定手段が、前記顔領域に含まれるブロックの画素から得られる複数のパラメータ値と、当該複数のパラメータ値の少なくとも一部について予め定められた、前記検出された顔領域が人の顔として誤っている度合を判定するための条件からなる条件群とから、前記第２のホワイトバランス係数の重みを決定する決定工程と、
前記ホワイトバランス制御装置の算出手段が、前記第１のホワイトバランス係数と、前記決定された重みで重み付けした前記第２のホワイトバランス係数とから、前記画像に対する最終的なホワイトバランス係数を算出する算出工程とを有し、
前記決定手段は、前記決定工程において、前記度合いが高いほど小さくなるように前記重みを決定することを特徴とするホワイトバランス制御装置の制御方法。
【請求項７】
コンピュータを、請求項１乃至請求項４のいずれか１項に記載のホワイトバランス制御装置の各手段として機能させるためのプログラム。
【手続補正２】
【補正対象書類名】明細書
【補正対象項目名】００１２
【補正方法】変更
【補正の内容】
【００１２】
上述の目的は、撮像された画像に適用するホワイトバランス係数を算出するホワイトバランス制御装置であって、画像から顔領域を検出する顔検出手段と、画像の全体から、第１のホワイトバランス係数を算出する第１の係数算出手段と、画像を複数のブロックに分割し、複数のブロックのうち、顔領域に含まれるブロックの画素値に対して第１のホワイトバランス係数を適用した後の色度を、予め定めた肌色に補正するための第２のホワイトバランス係数を算出する第２の係数算出手段と、顔領域に含まれるブロックの画素から得られる複数のパラメータ値と、当複数のパラメータ値の少なくとも一部について予め定められた、検出された顔領域が人の顔として誤っている度合を判定するための条件からなる条件群とから、第２のホワイトバランス係数の重みを決定する決定手段と、第１のホワイトバランス係数と、決定された重みで重み付けした第２のホワイトバランス係数とから、画像に対する最終的なホワイトバランス係数を算出する算出手段とを有し、決定手段が、度合いが高いほど小さくなるように重みを決定することを特徴とするホワイトバランス制御装置によって達成される。
【手続補正３】
【補正対象書類名】明細書
【補正対象項目名】００１３
【補正方法】変更
【補正の内容】
【００１３】
また、上述の目的は、撮像された画像に適用するホワイトバランス係数を算出するホワイトバランス制御装置の制御方法であって、ホワイトバランス制御装置の顔検出手段が、画像から顔領域を検出する顔検出工程と、ホワイトバランス制御装置の第１の係数算出手段が、画像の全体から、第１のホワイトバランス係数を算出する第１の係数算出工程と、ホワイトバランス制御装置の第２の係数算出手段が、画像を複数のブロックに分割し、複数のブロックのうち、顔領域に含まれるブロックの画素値に対して第１のホワイトバランス係数を適用した後の色度を予め定めた肌色に補正するための第２のホワイトバランス係数を算出する第２の係数算出工程と、ホワイトバランス制御装置の決定手段が、顔領域に含まれるブロックの画素から得られる複数のパラメータ値と、当複数のパラメータ値の少なくとも一部について予め定められた、検出された顔領域が人の顔として誤っている度合を判定するための条件からなる条件群とから、第２のホワイトバランス係数の重みを決定する決定工程と、ホワイトバランス制御装置の算出手段が、第１のホワイトバランス係数と、決定された重みで重み付けした第２のホワイトバランス係数とから、画像に対する最終的なホワイトバランス係数を算出する算出工程とを有し、決定手段は、決定工程において、度合いが高いほど小さくなるように重みを決定することを特徴とするホワイトバランス制御装置によっても達成される。